(57)【要約】【課題】  本発明の解決しようとする課題は、Ｈ形鋼に掛吊りした状態で安定して吊り金具との連結作業を円滑にし、落下事故等の生じない耐震金具を新規に提供することにある。【解決手段】  本発明は、ダクトの吊り金具において耐震金具のフック部の折返し端を延長して該金具を中心に両側または片側に拡がる長さの延長部を設け、該フック部をＨ形鋼に掛吊りするとＨ形鋼面に面接触または複数点にて接触して安定させ、張設作業中に手を離してもずれ動き等は全く生じないので落下等の事故が防止されるとともに、吊り金具の通し嵌め取付けを円滑に進めることができて、ダクト等を耐震性をもって強固に吊り張設することができることになる。【選択図】図１
2007170768.tif 000002
【特許請求の範囲】
【請求項１】
ダクトの吊り金具において耐震金具のフック部に両側または片側に拡がる長さをもって面接触または複数点で接触して吊り金具をずれ落下防止する延長部を設けたことを特徴とする吊り金具用耐震金具の構造。
【発明の詳細な説明】
【技術分野】
【０００１】
この発明はダクトを吊り張設する吊り金具における耐震金具の構造、詳しくはＨ形鋼に面接触または複数点の接触にて掛吊りすることの可能な耐震金具の構造に関するものである。
【背景技術】
【０００２】
従来の耐震金具１１は図４（ａ）に示すように、単に丸軸棒状の一端を折返して形成するフック部１１ａを天井裏などに横架してなるＨ形鋼Ａの下板の一側に掛吊りして、他端の螺条側を持ち上げて吊り金具２を通して該金具２をＨ形鋼Ａの他側に当て嵌めてナット２ｄ止め、上方からネジボルト２ｅを廻し下げてＨ形鋼Ａに挟み止めするようにして、ダクトを天井裏などに吊り張設するようにしている。
【特許文献１】なし
【発明の開示】
【発明が解決しようとする課題】
【０００３】
しかしながら、耐震金具１１はＨ形鋼Ａの大きさ厚さのすべてに適用可能とするために、フック部１１ａを緩い円曲形にて形成しているために、Ｈ形鋼Ａの一側に掛吊りすると、図４（ｂ）に示すように１点での点接触によって他側の螺条側を斜め下に垂れ下がらせ、張設作業時に手を離すと即掛吊りが外れて落下して吊り金具２の嵌め取付けを容易でないものにしているという課題があった。また従来の耐震金具１１は、取付け後の縦方向の応力に対しては強いが、横方向の力に対してはくらぐら回転してしまうため、吊り金具２を止めたナット２ｄに弛みが生ずるという課題があった。
【課題を解決するための手段】
【０００４】
本発明は、耐震金具のフック部に両側または片側に拡がる長さの延長部を設けて、耐震金具のフック部をＨ形鋼に掛吊りする際に延長部がＨ形鋼に面接触または複数点で接触してずれ動きが生じないようにして、かかる課題を解決したのである。
【発明の効果】
【０００５】
本発明は耐震金具のフック部に面接触または複数点にて接触してずれ動きの生じない延長部を設けたので、Ｈ形鋼に掛吊りすると１点接触に見られた掛吊りの不安定が解消して、張設作業中に手を離しても掛吊りが外れて落下するということは全くなくなり、安定した掛吊り状態を保つために吊り金具の通し嵌め取付けを円滑に進めることができるという効果を生ずる。
【０００６】
耐震金具のフック部は面接触または複数点の接触にて、吊り金具をナット止め取付けした後、横方向の力が加わってもぐらぐら回転しないためにナットに弛みが生ずるおそれがなく、吊り金具がずれ動いたり外れ落ちたりすることを確実に防止することができるという効果を生ずる。
【０００７】
フック部の延長部は耐震金具の軸部を跨いで両側に均等の長さにて伸ばすことによって、Ｈ形鋼との間の面接触を安定させることができるという効果を生ずる。
【発明を実施するための最良の形態】
【０００８】
本発明は、ダクトの吊り金具において耐震金具のフック部の折返し端を延長して該金具を中心に両側に均等に拡がる長さの延長部を設け、該フック部をＨ形鋼に掛吊りするとＨ形鋼面に面接触して安定して、張設作業時に手を離してもずれ動き等は全く生じないので落下等の事故が防止されるとともに、吊り金具の通し嵌め取付けを円滑に進めることができて、ダクト等を耐震性をもって強固に吊り張設することができ、取付後は横回転しないために止めナットの弛みを防止することとなる。
【実施例１】
【０００９】
図１（ａ）は本発明の耐震金具１の１例を示すもので、丸軸棒状をした耐震金具１の一端を折返してフック部１ａを形成する。フック部１ａの先端を該金具１を中心にして両側に跨って均等に伸ばして金具１の太さの６倍から十数倍程に長いＷ１幅の延長部１ｃを形成する。
【００１０】
耐震金具１のフック部１ａをＨ形鋼Ａの下板の一端に掛吊りすると、従来の耐震金具１１はフック部１１ａが図１（ｂ）に示すように丸軸の太さの細いＷ２幅によって１点接触にとどまるために、張設作業時に手を離すとフック部１１ａはずれ動いてＨ形鋼から抜け外れ落下してしまうが、本発明の耐震金具１は図１（ａ）に示すようにＷ１幅の長い延長部１ｃがＨ形鋼Ａの上面に面接触して固定するために安定した掛吊り状態を保って抜き外さない限り落下しないものとなるので、他端を持って耐震金具１をＨ形鋼Ａの下面に当てて、吊り金具２を通して該金具２をＨ形鋼Ａの他側端に嵌め当てて、ナット２ｄ止め取付けすることが至極容易且つ円滑にできることとなる。なお吊り金具２は上部のネジボルト２ｅを廻し下げて下当て面２ａとの間でＨ形鋼Ａに挟み止めするのである。ダクト（図示してない）は吊り金具２の下端より垂下する吊りボルト３によって天井裏などに吊り張設されることとなる。またダクトの揺れ，震動などにより吊り金具２に横方向の力が加わっても、耐震金具１は延長部１ｃの面接触によりぐらぐら回転することがないので、止めたナット２ｄに弛みが生じてずれ動いたり抜け外れたりすることを防止することができる。
【実施例２】
【００１１】
図３は本発明の耐震金具１の他の形成例を示すもので、（ａ）は大きなＨ形鋼用として丸軸の本体部分を長く形成した例、（ｂ）は延長部１ｃを直線的に折返してＨ形鋼に面接触する部分を形成した例、（ｃ）は延長部を二股１ｅ，１ｆにして両側に拡げて面接触するようにした例、（ｄ）は延長部を板状１ｇにして両側に拡げて面接触するようにした例、（ｅ）は延長部を波板状１ｈにして両側に拡げて複数線で面接触するようにした例、（ｆ）軸部を跨いだ両側に先部を下向きにした２本の延長部１ｉ，１ｊを形成して、Ｈ形鋼に複数点で接触するようにした例、（ｇ）は延長部１ｃを片側に伸ばした例を示すもので、いずれの延長部もＨ形鋼に面接触または複数点で接触することにより、安定した掛吊り状態を維持するものとなる。
【産業上の利用可能性】
【００１２】
本発明の耐震金具は、ダクトの吊下げ張設のほか、天井裏などに横架するＨ形鋼を利用して照明器具などを吊り張設する金具用の耐震金具として広く利用することができる。
【図面の簡単な説明】
【００１３】
【図１】（ａ）は本発明の耐震金具の平面図と側面図、（ｂ）は従来例の耐震金具を示す図
【図２】（ａ）は本発明の耐震金具をＨ形鋼の下板に掛吊りした状態の斜視図、（ｂ）は同、Ｈ形鋼の他側端に嵌め止めた吊り金具と通し嵌め止めした状態を示す側面図である。
【図３】（ａ）乃至（ｇ）は本発明の耐震金具の他の形成例を示す平面図または斜視図
【図４】従来例を示すもので、（ａ）吊り金具と連結した取付状態を示す側面図、（ｂ）は耐震金具をＨ形鋼に掛吊りした状態を示す側面図
【符号の説明】
【００１４】
１は耐震金具
１ａはフック部
１ｂはＵターン部
１ｃは延長部
１ｄは螺条
１ｅ，１ｆは２股に分割して両側に拡げた延長部
１ｇは板状にして両側に拡げた延長部
１ｈは波板状にした延長部
１ｉ，１ｊは軸部を跨いだ両側に下向きの２本にて形成した延長部
２は吊り金具
２ａは下当て面
２ｃは止金
２ｄはナット
２ｅはネジボルト
１１は従来例の耐震金具
１１ａは同、フック部
３はダクト等の吊りボルト
ＡはＨ形鋼
【図１】
2007170768.tif 000003
【図２】
2007170768.tif 000004
【図３】
2007170768.tif 000005
【図４】
2007170768.tif 000006